(57)【要約】      （修正有）【課題】Ｚ折り圧着シートを高速に作成する圧着シート作成装置のシート折り目展開装置を提供する。【解決手段】シート収容カセット２からシート３は切り替えフラップ１１に案内されて仮折り装置１４に搬入され、搬送方向に長短異なる長さにＺ折りされ、感光体ドラム２８と転写ローラ２７が対向配置されている粉体接着剤の転写（塗布）部に搬送される。塗布され粉体接着剤を仮定着器３７で仮定着されたシート３は反転案内部４５で反転して先端を展開部４９に搬入され短い部分が長い部分から離れて下に垂れ下がる。そのタイミングで搬入搬出部４８の逆方向ローラ７１が駆動されてシート３の長い部分を挟持して送り込み搬送路４６から送り出し搬送路４７へ送り出す。第１の本折り装置５１と第２の本折り装置５４を通ってＺ折りされたシート３は圧着装置５５で圧着され、裁断装置６４で２連の状態を２通に分離されて排紙トレー４に排出される。【選択図】図１
2008169007.tif 000002
【特許請求の範囲】
【請求項１】
枚葉紙状のシートが搬送方向に長短異なる長さで折り曲げられ、その折り目が搬送の進行方向を向いて搬送される装置におけるシート折り目展開装置であって、
前記シートの搬送速度を落とすこと無く搬送する第１の搬送部と、
該第１の搬送部により搬送される前記シートの搬送方向を反転させる反転案内部と、
該反転案内部の案内方向前方に配置された展開部と、
該展開部に案内された前記シートの長短異なる長さの短い部分が長い部分から離れたとき、該長い部分の先端を把持し、把持した前記長い部分を前記展開部へのシート案内方向と逆方向に搬出しながら前記短い部分を前記折り目から展開させる第２の搬送部と、
を備えたことを特徴とするシート折り目展開装置。
【請求項２】
前記長さの短い部分は、自重により前記長い部分から離れ、
前記第２の搬送部は、前記反転案内部と前記展開部との間に設けられた搬送ローラと該搬送ローラに離接する可動式のローラ押し当てコロから成る、
ことを特徴とする請求項１記載のシート折り目展開装置。
【発明の詳細な説明】
【技術分野】
【０００１】
本発明は、可変情報を印刷したシート材を搬送方向に長短異なる長さで折り曲げて仮折りし、接着剤を表裏一度に塗布し、仮折りを展開し、本折りを行って折り合せ面を圧着してＺ折り圧着シートを高速に作成する圧着シート作成装置におけるシート折り目展開装置に関する。
【背景技術】
【０００２】
従来、特定の個人のみへ文字情報を伝達するために、一般に、文字記載物を封書の形態にし、開封後に始めて当該個人が文字情報を確認できるようにしていた。
【０００３】
近年、個人情報保護が厳しく問われるようにもなり、各種事業所等では、例えば、個人の各種データ、成績表、給与明細書等の個人情報は、これを文字記載物の内部の印字箇所に記録して、印字箇所の周縁部もしくは文字記載物の全面を接着や圧着により封筒状やカード状にして配布したりしている。
【０００４】
このうち、はがきサイズのカード状のものは圧着はがきと呼ばれており、通常の郵便はがきと同じ料金で利用できることから、情報提供者側の利便性が高い印字（印刷）情報秘匿システムとして、広告宣伝のダイレクトメール等にも汎用されている。
【０００５】
このような圧着はがき等による印字情報秘匿システムを利用するには、従来、専門の製造業者に委託するか、高価な圧着はがき等製造・印刷装置を導入するかして秘匿情報を作成していた。
【０００６】
これらの圧着はがき等製造・印刷装置を用いて秘匿情報を作成するには、接着剤を情報印字の後に塗布する方法や、情報印字の前に塗布する方法等があるが、いずれにしても秘匿情報を大量に作成するという前提が必須であり高価であった。
【０００７】
また、そのような製造業者への委託は、個人情報の流出の問題も潜在的に存在しており好ましい秘匿情報の作成方法とはいえない。
【０００８】
ところで、近年、パソコンやプリンタの発達と相侯って、小規模事業所や個人でも利用できるように、少量単位でも簡易に圧着はがきを作成できるようにしたものも提案されている。
【０００９】
例えば、感圧接着剤を予め塗布した剥離紙付きはがき用紙が販売されている。これは、２つ折り内部の印字面に所定の文字情報等を印字後に、感圧接着剤部分を圧着して投函用の圧着はがきを完成させるものである。
【００１０】
また、例えば、粘着フイルムとはがき用紙を一組にしたものが販売されている。これは、２つ折り内部の印字面に所定の文字情報等を印字後に、２つ折り内部に粘着フイルムを挟むようにして圧着して、投函用の圧着はがきを作成できるようにしたものである。
【００１１】
しかしながら、これでもコスト高は避けられず、取り扱いが煩雑であり、個人的に数枚の圧着はがきを作成するのなら良いが、ある程度の枚数単位で、安価で、迅速に、且つ対需要即応体制で作成できるものではない。
【００１２】
そこで、粘着剤を内包したマイクロカプセルから成るトナー状粘着剤を静電印刷法により基材の表面に転写してフラッシュ定着させ、接着時には圧力によりマイクロカプセルを破壊しカプセル内の粘着剤を浸出させるようにして、圧着はがきを容易に作成できるとする提案がなされている。また、この提案では、粘着剤を溶融、混練、粉砕した粉砕トナーも示唆されている。（例えば、特許文献１参照。）
【００１３】
また、事務用プリンタや複写機の交換用の印字用カートリッジに圧着用物質を入れて、それら事務用プリンタ又は複写機による印字作業と同様の操作で圧着用物質を官製はがきや封筒に塗布し、その後、圧着専用機にかけるようにし、圧着専用機にかけるところまでを１台のプリンタ又は複写機で出来るとする提案がなされている。また、この提案では、二つ折りの片面、三つ折の中央両面に圧着用物質を塗布することが示唆されている。（例えば、特許文献２参照。）
【００１４】
また、感熱接着剤を含むトナーを用い、電子写真方式により画像を対需要即応式で作成する方法が提案されている。この提案では、感熱接着剤の軟化温度は電子写真方式用のトナーの結着樹脂の軟化温度よりも高くなるように構成し、また、感熱接着剤の電子写真方式用トナーに占める割合を５〜６０重量％とし、また、感熱接着剤の組成は熱接着性樹脂、ホットメルト及びワックス類からなる群より選ばれる１種類以上を含むようにすることが提案されている。（例えば、特許文献３参照。）
【特許文献１】特開平０９−１０４８４９号公報（段落０００５、００１４、図１、図３、図６）
【特許文献２】特開２０００−００６５５３号公報（要約、図なし）
【特許文献３】特開２００４−１２６２３１号公報（段落００８５〜００８７、図なし）
【発明の開示】
【発明が解決しようとする課題】
【００１５】
しかしながら、特許文献１の技術は、マイクロカプセル式のトナーについては構成及び組成について記載されてはいるが、粉砕トナーについては単なる思い付き程度に示唆されているのみであり、具体的な組成、製法、及び用法についての記載がなく、これでは、この分野の当業者といえども有用な粉砕トナーを作成することは勿論、試作することさえ出来ない。
【００１６】
また、特許文献２の技術は、圧着専用機にかける前までの官製はがきや封筒による印字情報秘匿書類を作成するものであり、投函用に完成するには圧着専用機にかけなければならない点で利便性と経済性に欠けるものであり、また対需要即応性には程遠いものと言わざるを得ない。
【００１７】
また、特許文献３の技術では、単に感熱接着剤の軟化温度が電子写真方式用のトナーの結着樹脂の軟化温度よりも高く設定されているというのみで、感熱接着剤を含むトナーの詳細な処方等の説明はない。
【００１８】
ところで、対需要即応性のある圧着はがきの作成方法としては、個人的にも使用できる小型の電子写真式プリンタのトナーカートリッジに収容して使用可能な粉体接着剤を具体的に実現し、その粉体接着剤を現像、転写及び定着によって同プリンタで可変情報を印字（又は印刷、以下同様）した紙面に塗布できればよいと考えられる。
【００１９】
但し、そのように印字後の用紙に対する接着剤の塗布を電子写真式プリンタを用いて行うものとすると、粉体接着剤は通常のトナーとほぼ同様の形態のものでないと、接着剤として塗布（現像、転写、及び定着）は出来ないと考えられる。
【００２０】
しかしながら、トナー状の圧着はがき用粉体接着剤は、従来の提案技術である上記の各特許文献には思い付き程度に示唆されてはいるものの、既に述べたように具体的な材料処方も具体的な用法も開示されていない。
【００２１】
また、そのようなトナー状の圧着はがき用粉体接着剤は今日まで市場に流通もしていない。流通している圧着はがき用の接着剤は液状または粘着シート状のものだけである。
【００２２】
ましてや、電子写真式プリンタで圧着はがき用紙に宛名や秘匿情報を印刷したのち折り工程、接着剤塗布工程、秘匿情報印刷面圧着工程等の後処理を個人的に行う方法や、その後処理中に発生する可能性のある用紙ジャム時に適切に対処する方法を開示したり示唆したものは未だ存在していない。
【００２３】
本発明の課題は、上記従来の実情に鑑み、具体的な材料処方から成る実用性のある粉体接着剤を作製し、可変情報を印刷したシート材を搬送方向に長短異なる長さで折り曲げて仮折りし、上記の粉体接着剤を表裏一度に塗布し、仮折りを展開し、本折りを行って折り合せ面を圧着してＺ折り圧着シートを高速に作成する圧着シート作成装置の提供、特にそのシート折り目展開装置を提供することである。
【課題を解決するための手段】
【００２４】
本発明のシート折り目展開装置は、枚葉紙状のシートが搬送方向に長短異なる長さで折り曲げられ、その折り目が搬送の進行方向を向いて搬送される装置におけるシート折り目展開装置であって、枚葉紙状のシートが搬送方向に長短異なる長さで折り曲げられ、その折り目が搬送の進行方向を向いて搬送される装置におけるシート折り目展開装置であって、上記シートの搬送速度を落とすこと無く搬送する第１の搬送部と、該第１の搬送部により搬送される上記シートの搬送方向を反転させる反転案内部と、該反転案内部の案内方向前方に配置された展開部と、該展開部に案内された上記シートの長短異なる長さの短い部分が長い部分から離れたとき、該長い部分の先端を把持し、把持した上記長い部分を上記展開部へのシート案内方向と逆方向に搬出しながら上記短い部分を上記折り目から展開させる第２の搬送部と、を備えて構成される。
【００２５】
このシート折り目展開装置においては、例えば、上記長さの短い部分は、自重により上記長い部分から離れ、上記第２の搬送部は、上記反転案内部と上記展開部との間に設けられた搬送ローラと該搬送ローラに離接する可動式のローラ押し当てコロから成るように構成される。
【発明の効果】
【００２６】
本発明によれば、可変情報を印刷したシート材を搬送方向に長短異なる長さで折り曲げて仮折りし、接着剤を表裏一度に塗布し、仮折りを展開し、本折りを行って折り合せ面を圧着してＺ折り圧着シートを高速に作成する圧着シート作成装置におけるシート折り目展開装置を提供することが可能になる。
【発明を実施するための最良の形態】
【００２７】
以下、本発明の実施の形態を図面を参照しながら説明する。
（実施形態１）
最初にトナー状の粉体接着剤の材料処方及び具体的な作製方法について説明する。尚、この粉体接着剤は、秘匿情報印刷面を圧着後の剥離開封時に、反対面への文字移りが発生しない粉体接着剤として開発されたものである。
【００２８】
先ず、結着樹脂として軟化温度１１０±４℃の炭化水素系樹脂（シクロオレフィンとエチレンの共重合体）９０質量％以上、帯電制御剤０．３〜３質量％、ワックス１〜９質量％を用意する。
【００２９】
これらを、ミキサーにて混合し、その混合物を二軸スクリュー混練機にて温度をかけながら混練し、この混練物を冷却し、機械式粉砕機にて２ｍｍ程度にまで粉砕し、気流式粉砕機にてさらに微粒子にまで粉砕し、適切な粒子径に分級を行う。
【００３０】
その後、この混練粉砕物を、シリコンオイル又はアルキルジシラザンにて表面処理済みのシリカ微粒子０．１〜５質量％（対混練粉砕品）及びアルミナを外添し、軟化温度１０６℃で、平均粒径（体積Ｄ５０）９．０μｍの第２の粉体接着剤としてのトナー状の透明な粉体接着剤を得る。
【００３１】
（実施形態２）
次に、予め宛名、差出人、秘匿情報等の可変情報を電子写真式のプリンタによりトナーで印字（印刷、以下同様）されている圧着印刷物用シートの面に、上記のように作製された粉体接着剤を塗布し、本折りを行い、粉体接着剤塗布面を圧着して圧着印刷物を作製する圧着シート作成装置について説明する。
【００３２】
図１は、実施形態２としてのシート折り目展開装置を備えた圧着シート作成装置の断面図である。
【００３３】
同図に示す圧着シート作製装置１は、装置本体下部にシート収容カセット２を着脱自在に備えている。シート収容カセット２には多枚数の圧着シート作成用のシート３が載置・収容されている。
【００３４】
また、装置本体の左方には、開閉式の排紙トレー４が形成され、そこには上部排紙口５から排出される完成した圧着シート（例えば圧着はがきであれば投函前の圧着はがき）が積載される。
【００３５】
この圧着シート作製装置１の上面側部には、特には図示しないが蓋部の開閉スイッチや液晶表示装置、電源スイッチ、複数のデータ入力キー等からなる操作パネルが配設されている。
【００３６】
上記シート収容カセット２のシート供給口には、積載されたシート３の最上部に当接するシート取出ローラ６が配設され、そのシート供給方向下流側に、搬送ローラ対７が配置され、その下流側に近接して、供給されるシートを上方に案内する案内ローラ８と案内板９が配設されている。
【００３７】
その上方には、切り替えフラップ１１が配置され、切り替えフラップ１１から上方は、シート搬送路が左右に分岐している。右に分岐する搬送路は、三つ折り（Ｚ折り）シートを作る際の搬送路であり、搬送ローラ対１２、Ｚ折り用搬送路１３を経て仮折り装置１４に連絡する。
【００３８】
仮折り装置１４は、一次搬送ローラ１５、一次二次搬送ローラ１６、折込板１７を有する折込装置１８を備え、更に、引き込み部１９、二次搬送ローラ２１を備えている。一次二次搬送ローラ１６と二次搬送ローラ２１とで形成されるシート搬出部には、搬出路２２が連絡している。
【００３９】
搬出路２２のシート搬送方向下流側は、切り替えフラップ１１から左に分岐して、分岐口に搬送ローラ対２３を備えた二つ折り（Ｖ折り）シートを作る際の搬送路であるＶ折り用搬送路２４に合流する。
【００４０】
合流点には待機ローラ対２５が配置され、そのシート搬送方向下流側には粉体接着剤塗布部２６が配置されている。粉体接着剤塗布部２６は、待機ローラ対２５からシート搬送方向下流側に延びる搬送路を上下から挟んで対向配置された転写ローラ２７と感光体ドラム２８を備えている。
【００４１】
そして、その感光体ドラム２８の円周面に沿って、転写ローラ２７から時計廻り方向にクリーナ２９、初期化帯電ローラ３１、記録ヘッド３２、現像器３３の現像ローラ３４が配設されている。現像器３３は、粉体容器３５とその下方に連続して形成されている粉体供給部３６を備え、上記の現像ローラ３４は、粉体供給部３６の前側面下部開口部に配置されている。
【００４２】
この粉体接着剤塗布部２６のシート搬送方向下流側には、仮定着器３７が配設されている。仮定着器３７は、加熱加圧ローラ対３８を備えた電子写真方式の画像形成装置に常備される通常の定着器と同様の構造である。
【００４３】
この仮定着器３７のシート搬送方向下流側には、切り替えフラップ３９が配置されている。切り替えフラップ３９から先は、シート搬送路が上と横に分岐している。上に分岐する搬送路は、Ｖ折りシート用の搬送路であり、搬送ローラ対４１とＶ折り用搬送路４２を備えている。
【００４４】
また、切り替えフラップ３９から先で横に分岐する搬送路は、Ｚ折りシート用の搬送路であり、搬送ローラ対４３と、第１の搬送部としてのＺ折り用搬送路４４を備えている。そして、Ｚ折り用搬送路４４の先には、シートの搬送方向を反転させる反転案内部４５が形成されている。
【００４５】
反転案内部４５の案内方向前方は、反転方向に延びる送り込み搬送路４６と、反転方向とは逆方向に延びる送り出し搬送路４７との境界部７４において、送り込み搬送路４６方向向きに開口している。送り込み搬送路４６は、搬入搬出部４８を通って展開部４９に連絡している。
【００４６】
上記の反転案内部４５、送り込み搬送路４６、搬入搬出部４８、及び展開部４９によって、詳しくは後述する本発明のシート折り目展開装置６０が構成されている。なお、搬入搬出部４８は詳しくは後述するが、互いに逆方向に回転するローラと、これらのローラにそれぞれ離接するコロからなっており、一方のローラ及びコロと送り出し搬送路４７とで、第２の搬送部を構成している。
【００４７】
その送り出し搬送路４７の先には、第１の本折り装置５１が配設されている。この第１の本折り装置５１の各部の構成は、仮折り装置１４と同一であるので、仮折り装置１４と同一構成部分には、仮折り装置１４と同一の番号を付与して示している。
【００４８】
この第１の本折り装置５１の一次二次搬送ローラ１６と二次搬送ローラ２１とで形成されるシート搬出部は、上に延びてから右横方向に屈曲する搬送路５２に連絡している。搬出路５２のシート搬送方向下流側は、前述したＶ折り用搬送路４２に合流している。
【００４９】
この合流点より先には２組の搬送ローラ対５３が配置されており、その先に、第２の本折り装置５４が配設されている。この第２の本折り装置５４の各部の構成も、仮折り装置１４と同一であるので、仮折り装置１４と同一構成部分には、仮折り装置１４と同一の番号を付与して示している。
【００５０】
この第２の本折り装置５４の一次二次搬送ローラ１６と二次搬送ローラ２１とで形成されるシート搬出部より下流側に、圧着装置５５が配設されている。圧着装置５５は、加熱加圧ローラ５６と駆動ローラ５７に掛け渡されて時計廻り方向に循環移動する上加熱ベルト５８を備えている。
【００５１】
そして、更に、この上加熱ベルト５８の下部循環移動部に接して対向配置された下加熱ベルト５９を備えている。下加熱ベルト５９は、加熱加圧ローラ６１と駆動ローラ６２に掛け渡されて反時計廻り方向に循環移動する。
【００５２】
上記の上加熱ベルト５８と下加熱ベルト５９の内側には、それぞれ４個にローラがほぼ等間隔に配置されている。これら４個のローラは、それぞれ他方の加熱ベルト内側に配設されているローラに対向して配置され、上加熱ベルト５８の下部循環移動部と下加熱ベルト５９の上部循環移動部をそれぞれ内側から挟みつけるように押圧しながらベルトの循環移動に従動して回転する。
【００５３】
この圧着装置５５の下流側には、搬送ローラ対６３が配置され、その下流側に一対の回転丸歯からなる裁断装置６４が配置されている。そして、裁断装置６４の下流側には、排出ローラ対６５が配置され、排出ローラ対６５の下流に、前述した上部排紙口５が位置している。
【００５４】
図２(a),(b),(c) は、上記の圧着シート作製装置１で処理されるシート３におけるＺ折りシートの仮折り状態と仮折り展開状態を説明する図である。同図(a) の上は、仮折り装置１４で、Ｚ折り用のシート３が搬送方向に長短異なる長さ（長い部分ａと短い部分ｂ）で折り曲げられ、その折り目３−２が、矢印ｃで示す搬送の進行方向を向いて搬送される状態を示している。
【００５５】
そして同図(a) の下は、詳しくは後述するが、第１の搬送部であるＺ折り用搬送路４４により搬送されたシート３の搬送方向が、反転案内部４５により矢印ｄで示すように反転されて、折り目３−２からなる先端が展開部４９に搬入されたときの状態を示している。
【００５６】
また、同図(b),(c) は、展開部４９に案内されたシート３の長短異なる長さの短い部分ｂが長い部分ａから離れたとき、第２の搬送部により長い部分ａの先端３−３が把持され、把持した長い部分ａが展開部４９へのシート案内方向と逆方向に搬出されながら短い部分ｂが折り目３−２から展開される状態を示している。
【００５７】
次に、圧着シート作製装置１による圧着シート作製の動作を図１及び図２を用いて説明する。尚、本例における圧着シートの作製では、宛名、差出人等の公開情報や、給料明細、請求明細等の秘匿情報からなる可変情報が予め印刷されているＺ折り用シートが、シート収容カセット２に収容されている。Ｖ折り用シートについては後述する。
【００５８】
図１において、先ず、シート取出ローラ６により、シート収容カセット２に収容されているシート３の最上部の１枚が取り出されて搬送ローラ対７に給送される。搬送ローラ対７により搬送され、案内ローラ８と案内板９に案内されながら搬送されるシート３は、切り替えフラップ１１が図１の実線で示すように時計廻り方向に回動していることにより、搬送ローラ対１２とＺ折り用搬送路１３方向に案内される。
【００５９】
Ｚ折り用搬送路１３方向に案内されたシート３は、その先端部を、仮折り装置１４の一次搬送ローラ１５と一次二次搬送ローラ１６に挟持されて搬送を引き継がれ、その先端部が引き込み部１９に引きこまれる。
【００６０】
ところで、Ｚ折り用シートは、図２(c) に示すように、面Ａ、面Ｂ、及び面Ｃの連続した３面からなる表面と、これら面Ａ、面Ｂ、及び面Ｃにそれぞれ対応する面Ｄ、面Ｅ、及び面Ｆの連続した３面からなる裏面とからなっている。そして、例えば面Ａには宛名が印刷され、面Ｂ及び面Ｃには秘匿情報が印刷されている。また、面Ｆには差出人情報が印刷され、面Ｅと面Ｄにも秘匿情報が印刷されている。
【００６１】
シート３は、図２(c) に示す表裏が面Ｃと面Ｆになっている面の端部３−１を先頭にして図１に示す仮折り装置１４に搬入される。シート３は、仮折り装置１４の一次搬送ローラ１５と一次二次搬送ローラ１６により搬送されて、引き込み部１９に前１／３のところまで引き込まれる。
【００６２】
シート３の面Ｃと面Ｂの境界線が一次二次搬送ローラ１６と二次搬送ローラ２１との対抗部に向く位置までシート３が引き込み部１９に引き込まれてきたタイミングで、折込装置１８の折込板１７が、一次二次搬送ローラ１６と二次搬送ローラ２１との対抗部方向に突き出される。
【００６３】
これにより、シート３の面Ｅと面Ｆの境界線部分が谷折りされ、一次二次搬送ローラ１６と二次搬送ローラ２１との対向部により挟持されて、左方へ排出される。この状態が図２(a) の上に示す図である。シート３は、折り目３−２を先頭にして、図１の待機ローラ対２５に送られる。
【００６４】
待機ローラ対２５は回転を一時停止して、その挟持部にシート３の先端を当接させてシート３の進行を制止し、搬送タイミングを待機する。これと共に、感光体ドラム２８を中心に配置された諸装置が粉体接着剤の塗布タイミングに合わせて順次駆動される。
【００６５】
感光体ドラム２８は時計回り方向に回転し、初期化帯電器３１は、感光体ドラム２８周面に一様な高マイナス電荷を付与し、記録ヘッド３２は、その感光体ドラム２８周面に画像信号に応じて露光を行って低電位部を形成する。これにより、上記初期化による高マイナス電位部と、露光による低マイナス電位部からなる静電潜像が形成される。
【００６６】
現像ローラ３４は、その静電潜像の低電位部に現像器３３の粉体接着剤を転移させて感光体ドラム２８周面上に、粉体接着剤像を形成（反転現像）する。尚、この粉体接着剤像は通常はベタ画像であるが、場合により、一部間引きしたベタ画像であったり、梨地状のベタ印刷、あるいは細かなハッチング状のベタ印刷なども考えられる。
【００６７】
この感光体ドラム２８周面上の粉体接着剤像の先端が転写ローラ２７との対向部に回転搬送されてくるタイミングで、その対向部にシート３の粉体接着剤塗布開始位置が一致するように、待機ローラ対２５が回転を開始してシート３を給送する。
【００６８】
これにより、シート３は、感光体ドラム２８と転写ローラ２７との対向部において、面Ｃ（シート３の表側）と面Ｄ（裏側、図２(a) の上の図参照）に粉体接着剤を転写される。粉体接着剤を転写されたシート３は、仮定着器３７に搬入されて転写された粉体接着剤をシート面に仮定着される。これにより粉体接着剤の塗布が完了する。
【００６９】
粉体接着剤の塗布が完了したシート３は、仮定着器３７の出口の切り替えフラップ３９が実線で示す反時計廻り方向に回動しているため、搬送ローラ対４３に搬送されてＺ折り用搬送路４４を通過し、反転案内部４５に案内されて、図２(a) の矢印ｄで示すように下に回り込むように反転し、図１の送り込み搬送路４６、搬入搬出部４８を経て、シートの折り目展開装置の展開部４９に先頭部分が搬入される。
【００７０】
図３は、シートの折り目展開装置６０の拡大図である。同図に示すＺ折り用搬送路４４には図１では図示を省略した搬送ローラ対６６が配置されている。搬送ローラ対６６の一方のローラは、矢印ｑで示すシート搬送正方向に回転し、これに圧接する他方のローラは同方向に従動している。
【００７１】
また、反転案内部４５の搬送ローラ６７も、一方のローラは、矢印ｒで示すシート搬送正方向に回転し、これに圧接する他方のローラも同方向に従動している。そして、送り込み搬送路４６の搬入搬出部４８には、２組の駆動ローラと従動ローラが配置されている。
【００７２】
送り込み搬送路４６の上流側の１組には正方向駆動ローラ６８と正方向従動ローラ６９が配設され、下流側の１組には逆方向駆動ローラ７１と逆方向従動ローラ７２が配設されている。
【００７３】
正方向駆動ローラ６８は矢印ｓ方向に回転し、逆方向駆動ローラ７１は矢印ｖ方向に回転している。正方向従動ローラ６９は矢印ｔ又はｕ方向に上下動し、逆方向従動ローラ７２も矢印ｗ又はｘ方向に上下動するように構成されている。
【００７４】
そして、搬入搬出部４８を通って展開部４９に連絡する送り込み搬送路４６と展開部４９との連絡口に、摩擦軽減コロ７３が配置されている。この摩擦軽減コロ７３は、シート３の折り目３−２が展開部４９内に侵入する際に起きる摩擦力の増加を防止する役割を持っている。
【００７５】
尚、この摩擦軽減コロ７３は、シート３を挟むように２個配置するようにしてもよいし、また全く使用しないようにしてもよい。全く使用しないときは、摩擦軽減コロ７３を削除した角部分に適宜のＲを形成するようにするとよい。
【００７６】
図２(a) の下の図に示したように反転案内部４５により搬送方向を反転させて上面と下面が入れ替わったシート３は、長短異なる長さに折られた短い部分ｂが下になって展開部４９に案内される。
【００７７】
このとき搬入搬出部４８では、逆方向従動ローラ７２が矢印ｗ方向に上昇して逆方向駆動ローラ７１からはなれており、正方向従動ローラ６９が正方向駆動ローラ６８に圧接していることにより、シート３は、正方向駆動ローラ６８と正方向従動ローラ６９により挟持されて搬送されて、先端部が展開部４９に案内される。
【００７８】
シート３は、表面Ｃと裏面Ｆからなる短い部分ｂの端部３−１が摩擦軽減コロ７３を通過した時点で下方からの押さえから開放された短い部分ｂは自重で長い部分ａから離れて折り目３−２から下に垂れ下がる。
【００７９】
このとき、シート３の長短異なる長さに折られた長い部分ａの先端３−３が、反転案内部４５の終端開口部が位置する送り込み搬送路４６と送り出し搬送路４７との境界部７４よりも、送り込み搬送路４６側に入り込んだ位置に来るように、シートの折り目展開装置６０の各部が構成されている。
【００８０】
そして、そのように短い部分ｂが自重で折り目３−２から下に垂れ下がり、長い部分ａの先端３−３が境界部７４よりも送り込み搬送路４６側に入り込んだタイミングで、正方向従動ローラ６９が矢印ｕ方向に上昇して正方向駆動ローラ６８との圧接から開放され、代わって、逆方向従動ローラ７２が矢印ｘ方向に下降して逆方向駆動ローラ７１に圧接する。
【００８１】
これにより、シート３の長い部分ａが、逆方向駆動ローラ７１と逆方向従動ローラ７２とに挟持されて逆方向に搬送され、境界部７４から送り出し搬送路４７方向に送り出される。
【００８２】
シート３の長い部分ａから離れて折り目３−２から下に垂れ下がった短い部分ｂは、送り出し搬送路４７方向に搬送されながら、図２(b),(c) に示したように、折り目３−２から展開されて平らな元の状態になる。
【００８３】
この後、シート３は、図１に示す第１の本折り装置５１に搬入される。図２(c) に示すように表面Ａ、Ｂと裏面Ｄ、Ｅからなる長い部分ａの先端３−３を先頭にして第１の本折り装置５１に搬入されるシート３は、一次搬送ローラ１５と一次二次搬送ローラ１６により搬送されて、引き込み部１９に前半分のところまで引き込まれる。
【００８４】
シート３の面Ａと面Ｂの境界線が一次二次搬送ローラ１６と二次搬送ローラ２１との対抗部に向く位置までシート３が引き込み部１９に引き込まれてきたタイミングで、折込装置１８の折込板1７ が、一次二次搬送ローラ１６と二次搬送ローラ２１との対抗部方向に突き出される。
【００８５】
これにより、シート３の面Ｄと面Ｅの境界線部分が谷折りされ、一次二次搬送ローラ１６と二次搬送ローラ２１との対抗部により挟持され、粉体接着剤が塗布されている面Ｄと塗布されていない面Ｅが向き合わせに二枚重ねとなって二つ折りにされて搬送路５２へ排出される。
【００８６】
続いて、シー３は、搬送路５２とＶ折り用搬送路４２との交流点を通過し、２組の搬送ローラ対５３により搬送されて、第２の本折り装置５４に搬入される。シート３は、第２の本折り装置５４の一次搬送ローラ１５一次二次搬送ローラ１６により搬送を引き継がれて、引き込み部１９に搬送先端部を引き込まれる。
【００８７】
そして、シート３の面Ｄと面Ｅの二枚重なり部分（面Ａ）と面Ｆの境界線が一次二次搬送ローラ１６と二次搬送ローラ２１との対抗部に向く位置までシート３が引き込み部１９に引き込まれてきたタイミングで、折込装置１８の折込板１７が、一次二次搬送ローラ１６と二次搬送ローラ２１との対抗部方向に突き出される。
【００８８】
これにより、シート３の面Ｄと面Ｅの二枚重なり部分（面Ｂ）と面Ｃの境界線部分が谷折りされ、一次二次搬送ローラ１６と二次搬送ローラ２１との対抗部により挟持され、粉体接着剤が塗布されている面Ｃと塗布されていない面Ｂが向き合わせに重ねられ、合わせて三つ折り（Ｚ折り）となったシート３が圧着装置５５に向けて排出される。
【００８９】
圧着装置５５では、シート３は、上下の加熱ベルト５８、５９により加熱されて仮定着の粉体接着剤が軟化・溶融し、上下複数のローラにより加圧されて、軟化・溶融した粉体接着剤が反対面に圧着される。
【００９０】
ところで、図２(a),(b),(c) には、Ｚ折り用シート３を１枚のみ示しているが、Ａ３判の普通紙を用いると、図２(a),(b),(c) に示したＺ折り用シート３を、横に２枚連なった状態で、上述した一連の処理を行うことができる。
【００９１】
そうした場合、圧着装置５５で圧着が完成したＺ折り圧着シート（又は三つ折り圧着はがき）が２通横に繋がって、圧着装置５５から排出される。圧着装置５５の後方に配置された裁断装置６４は、そのような２連のＺ折り圧着シートを２通に切り離すために配置されている。
【００９２】
切り離されて２通に分離したＺ折り圧着シートは、それぞれ排出ローラ対６５により、上部排紙口５から、左方に開かれている排紙トレー４上に排出されて積層される。
【００９３】
（実施形態２の変形例１）
図４は、実施形態２のシートの折り目展開装置の変形例を示す図である。尚、同図には実施形態２のシートの折り目展開装置６０と同一の構成部分には、実施形態２のシートの折り目展開装置６０と同一の番号を付与して示している。
【００９４】
上述した実施形態２では、送り込み搬送路４６と送り出し搬送路４７との境界部７４に特には他の部材を配置しなかっが、本例では、シート３の後端部３−３を先頭にして逆送して、シート３を送り出し搬送路４７へ送り出す際の送り出しミスを防止し、確実性を増すために、図４の両方向矢印ｅで示すように、境界部７４に、反転案内部４５の終端開口部を上下に回動させるゲート押さえ７５を設けるようにする。
【００９５】
これにより、シート３を、折り目３−２を先頭にして展開部４９に送り込むときは、ゲート押さえ７５を図の実線で示す開放位置に移動させて、送り込み搬送路４６へのシート３の送り込みを容易にする。
【００９６】
そして、シート３の後端部３−３を先頭にして、シート３を送り出し搬送路４７へ送り出すときは、ゲート押さえ７５を図の破線で示す押さえ位置に移動させて、反転案内部４５の終端開口部を閉じ、シート３の送り込み方向先端部を確実に送り出し搬送路４７へ案内するようにする。
【００９７】
（実施形態２の変形例２）
また、上述した実施形態２では、シート３の送り込み搬送路４６と送り出し搬送路４７への搬送方向の切替えを、２組の駆動ローラと従動ローラによって行っているが、図４に示すように、１組の駆動ローラ７６と従動ローラ７７により、回転方向の切替えを、駆動ローラ７６の回転方向を、図の両方向矢印ｆで示すように正逆に切り替えて、正方向搬送と逆方向搬送をさせるようにしてもよい。
【００９８】
本発明によれば、Ｚ折り圧着シートの作製において、仮折り加工したシートを反転させ、搬送ローラで確実に搬送するので、搬送ミスやジャムの発生する危険性が少なく、更に搬送速度を遅く変えること無く迅速に仮折りの展開処理を行うので、全体としての処理枚数を落とすことなく処理を進行させることができる。
【００９９】
尚、Ｖ折り圧着シートの作製に当たっては、粉体接着剤の塗布面はシートの裏面のみであるので、仮折りをしなくても一度の塗布処理で接着剤塗布面に粉体接着剤を塗布することができる。
【０１００】
したがって、図１において、Ｖ折り用のシートで圧着シートを作製するときは、切り替えフラップ１１は破線で示すように反時計回り方向に回動される。これにより、シート収容カセット２から取り出されたシート３（この場合はＶ折り用のシート）は仮折り装置１４に送り込まれることなく、粉体接着剤塗布部２６に直送されて、粉体接着剤を塗布（転写）される。
【０１０１】
その後、仮定着器３７で粉体接着剤を仮定着されたシート３は、ここでも切り替えフラップ３９が破線で示す時計回り方向に回動していることにより、第１の本折り装置５１へは送られず、第２の本折り装置５４に直送されて、二枚折りされて、圧着装置５５で圧着され、裁断装置６４で２通のＶ折り圧着シートに分離され、上部排紙口５から排紙トレー４に排出される。
【図面の簡単な説明】
【０１０２】
【図１】実施形態２のシート折り目展開装置を備えた圧着シート作成装置の断面図である。
【図２】(a),(b),(c) は圧着シート作製装置で処理されるＺ折りシートの仮折り状態と仮折り展開状態を説明する図である。
【図３】実施形態２のシートの折り目展開装置の拡大断面図である。
【図４】実施形態２のシートの折り目展開装置の変形例を示す図である。
【符号の説明】
【０１０３】
１      圧着シート作製装置
２      シート収容カセット
３      シート
３−１  短い部分ｂの先端
３−２  折り目
３−３  長い部分ａの先端
４      排紙トレー
５      上部排紙口
６      シート取出ローラ
７      搬送ローラ対
８      案内ローラ
９      案内板
１１    切り替えフラップ
１２    搬送ローラ対
１３    Ｚ折り用搬送路
１４    仮折り装置
１５    一次搬送ローラ
１６    一次二次搬送ローラ
１７    折込板
１８    折込装置
１９    引き込み部
２１    二次搬送ローラ
２２    搬出路
２３    搬送ローラ対
２４    Ｖ折り用搬送路
２５    待機ローラ対
２６    粉体接着剤塗布部
２７    転写ローラ
２８    感光体ドラム
２９    クリーナ
３１    初期化帯電ローラ
３２    記録ヘッド
３３    現像器
３４    現像ローラ
３５    粉体容器
３６    粉体供給部
３７    仮定着器
３８    加熱加圧ローラ対
３９    切り替えフラップ
４１    搬送ローラ対
４２    Ｖ折り用搬送路
４３    搬送ローラ対
４４    Ｚ折り用搬送路
４５    反転案内部
４６    送り込み搬送路
４７    送り出し搬送路
４８    搬入搬出部
４９    展開部
５１    第１の本折り装置
５２    搬送路
５３    搬送ローラ対
５４    第２の本折り装置
５５    圧着装置
５６    加熱加圧ローラ
５７    駆動ローラ
５８    上加熱ベルト
５９    下加熱ベルト
６０    シートの折り目展開装置
６１    加熱加圧ローラ
６２    駆動ローラ
６３    搬送ローラ対
６４    裁断装置
６５    排出ローラ対
６６、６７  搬送ローラ
６８    正方向駆動ローラ
６９    正方向従動ローラ
７１    逆方向駆動ローラ
７２    逆方向従動ローラ
７３    摩擦軽減コロ
７４    境界部
７５    ゲート押さえ
７６    駆動ローラ
７７    従動ローラ
【図１】
2008169007.tif 000003
【図２】
2008169007.tif 000004
【図３】
2008169007.tif 000005
【図４】
2008169007.tif 000006